(57)【要約】      （修正有）【課題】修理を手軽に素早く行うことができ、放熱性と防水性と防音性に優れ、幅広い適用範囲をもち、簡単に出力パワーと回転速度を変化させることが可能なモーターを提供する。【解決手段】透孔１０の内部には、エナメル線を巻いて形成した円形の内径をもつコイル１６が設けられ、コイル内には回転子２が嵌めこまれ、回転子における軸受２０が設けられた軸部２１は、前蓋と後蓋の中心通孔１４１に貫設され、回転子の一端の軸部にはねじ孔１５２が設けられ、その軸部は後蓋に貫設された後、ファン４と螺合され、後蓋の外縁には、使用者の安全を守るためにファンを保護する外蓋２５が設けられ、防水部３は、二つのＯ型リング３１，３２と防水部材からなり、二つのＯ型リングは、本体と、前蓋１４及び後蓋１５の間にそれぞれ設けられ、前蓋端部には溝部１４２が設けられ、本体には溝体１７が設けられ、溝部と溝体の間に防水部材３２が設けられ、防水部材には、電線を引っ張り出すための複数の円錐状の透孔が設けられる。【選択図】図２
0003162769.tif 000002
【実用新案登録請求の範囲】
【請求項１】
本体と、回転子と、防水部と、ファンとによって構成するモーターにおいて、
本体は一定の内径をもつ透孔を備え、本体の外周には溝型波紋が設けられ、本体の断面には、ねじを通すための複数の通孔が設けられ、ねじによって本体と、前蓋と、後蓋は螺合され、一定の内径をもつ透孔の内部には、エナメル線を巻いて形成した円形の内径をもつコイルが設けられ、コイル内には回転子が嵌めこまれ、
回転子における軸受が設けられた軸部は、前蓋と後蓋の中心通孔に貫設され、回転子の一端の軸部にはねじ孔が設けられ、その軸部は後蓋に貫設された後、ファンと螺合され、後蓋の外縁には、使用者の安全を守るためにファンを保護する外蓋が設けられ、
防水部は、二つのＯ型リングと防水部材からなり、二つのＯ型リングは、本体と、前蓋及び後蓋の間にそれぞれ設けられ、前蓋端部には溝部が設けられ、本体には溝体が設けられ、溝部と溝体の間に防水部材が設けられ、防水部材には、電線を引っ張り出すための複数の円錐状の透孔が設けられることを特徴とするモーター。
【請求項２】
該回転子の一端の軸部には、ファンと結合されファンが回転する際に空回りをするのを防ぐためのフライス面が設けられることを特徴とする、請求項１に記載のモーター。
【請求項３】
該回転子の他端の軸部には、伝達動力を提供し回転子が回転する際に空回りをするのを防ぐためのフライス面が設けられることを特徴とする、請求項１に記載のモーター。
【考案の詳細な説明】
【技術分野】
【０００１】
本考案はモーターに関し、特に修理を手軽に素早く行うことができ、放熱性と防水性と防音性に優れ、幅広い適用範囲をもち、簡単に出力パワーと回転速度を変化させることが可能なモーターに関する。
【背景技術】
【０００２】
図１に示すように、従来のモーター１００は、電線をモーターケース１１０に入れるが、電源の孔の部分には、防水構造が設けられていない。また、従来のモーター１００は、コイルと回転子などの部材をモーターケース１１０内に一体成型で設けており、故障した時、モーター全体を破棄して交換しなければならず、使用上不便なだけでなく、資源の浪費であり、環境の汚染にも繋がる。
【０００３】
また、従来のモーター１００の放熱は、モーター１００が回転する時、自然に対流する空気をモーター１００周辺に通過させて行う。従って、対流する空気では熱量の排出が間に合わないため、モーター１００から生じる高熱はケース１１０内に溜まりやすく、モーター１００の電力消費が増加し、温度が高くなり、モーター１００が熱くなりすぎて、コイルがショートしたり、コイルが焼けてしまったりすることがある。
【０００４】
従来のモーターの欠点は以下の通りである。
１、従来のモーターは、コイルと回転子などの部材をモーターケース内に一体成型で設けており、故障した時、モーター全体を破棄して交換しなければならず、使用上不便なだけでなく、資源の浪費であり、環境の汚染にも繋がる。
２、従来のモーターは、防音構造を備えていたとしても、回転する音量の大きさ、速度の安定性、体積などの要素において、一般的なニーズを満たしておらず、使用する場所が制限されている。
３、従来のモーターは、モーターが回転する時、自然に対流する空気をモーター周辺に通過させて行うが、対流する空気では熱量の排出が間に合わないため、モーターから生じる高熱はケース内に溜まりやすく、モーターの電力消費が増加し、温度が高くなり、モーターが熱くなりすぎて、コイルがショートしたり、コイルが焼けてしまったりすることがある
４、従来のモーターは、防水構造が設けられていないため、使用する際不便である。
【考案の概要】
【考案が解決しようとする課題】
【０００５】
そこで、本考案は、修理を手軽に素早く行うことができ、放熱性と防水性と防音性に優れ、幅広い適用範囲をもち、簡単に出力パワーと回転速度を変化させることが可能なモーターを提供することを目的とする。
【課題を解決するための手段】
【０００６】
本考案によるモーターは、本体と、回転子と、防水部と、ファンとによって構成する。本体は一定の内径をもつ透孔を備え、本体の外周には溝型波紋が設けられ、本体の断面には、ねじを通すための複数の通孔が設けられ、ねじによって本体と、前蓋と、後蓋は螺合され、一定の内径をもつ透孔の内部には、エナメル線を巻いて形成した円形の内径をもつコイルが設けられ、コイル内には回転子が嵌めこまれ、回転子における軸受が設けられた軸部は、前蓋と後蓋の中心通孔に貫設され、回転子の一端の軸部にはねじ孔が設けられ、その軸部は後蓋に貫設された後、ファンと螺合され、後蓋の外縁には、使用者の安全を守るためにファンを保護する外蓋が設けられ、防水部は、二つのＯ型リングと防水部材からなり、二つのＯ型リングは、本体と、前蓋及び後蓋の間にそれぞれ設けられ、前蓋端部には溝部が設けられ、本体には溝体が設けられ、溝部と溝体の間に防水部材が設けられ、防水部材には、電線を引っ張り出すための複数の円錐状の透孔が設けられる。
【図面の簡単な説明】
【０００７】
【図１】従来のモーターの外観を示した斜視図である。
【図２】本考案のモーターの構成を示した分解斜視図である。
【図３】本考案のモーターの外観を示した斜視図である。
【図４】本考案のモーターの防水部材の一部を示した拡大図である。
【図５】本考案のモーターの構成を示した断面図である。
【図６】本考案のモーターの気流の方向を示した説明図である。
【考案を実施するための形態】
【０００８】
図２は本考案のモーターの構成を示した分解斜視図であり、図３は本考案のモーターの外観を示した斜視図であり、図４は本考案のモーターの防水部材の一部を示した拡大図である。本考案のモーターＡは、本体１と、回転子２と、防水部３と、ファン４とによって構成する。
【０００９】
本体１は一定の内径をもつ透孔１０を備え、本体１の外周には溝型波紋１１が設けられ、本体１の断面には、ねじ１２を通すための複数の通孔１３が設けられる。本体１と、前蓋１４と、後蓋１５はねじ１２で螺合され、一定の内径をもつ透孔１０の内部には、エナメル線を巻いて形成した円形の内径をもつコイル１６が設けられ、そこには回転子２が嵌めこまれる。また、本体１の長さを変更し、コイル１６と回転子２を交換することで、モーターＡの出力パワーと回転速度を変えることができる。
【００１０】
回転子２における軸受２０が設けられた軸部２１は、前蓋１４と後蓋１５の中心通孔１４１、１５１に貫設される。回転子２の一端の軸部２１にはねじ孔２２とフライス面が設けられ、その軸部は後蓋１５に貫設された後、ワッシャ２４とファン４の透孔壁面４０を貫通してねじ２３で螺合され、ファン４が回転する際空回りするのを防ぐことができる。後蓋１５の外縁には、ファンを保護する外蓋２５が設けられ、後蓋１５のねじ孔１５２をねじ２６で螺合することにより、使用者の安全を守ることができる。また、回転子２の他端の軸部２１には、少なくとも一つのフライス面２７が設けられ、伝達動力を提供するとともに、回転する際の空回りを防止することができる。
【００１１】
防水部３は、二つのＯ型リング３０、３１と、防水部材３２からなる。二つのＯ型リング３０、３１は、本体１と、前蓋１４及び後蓋１５の間にそれぞれ設けられる。Ｏ型リング３０、３１は、前蓋１４及び後蓋１５と本体１を緊密に結合させることができ、防水効果を有するだけでなく、回転子２が回転動作を行う時の騒音を隔離することができる。また、前蓋端部には溝部１４２が設けられ、本体１には溝体１７が設けられ、溝部１４２と溝体１７の間に防水部材３２が設けられる。防水部材３２には、複数の円錐状の透孔３２１が設けられ、そこから電線３３を引っ張り出せるとともに電線３３を緊密に覆うことができ、防水効果と騒音を和らげる効果を提供する。
【００１２】
ファン４は、回転子２が回転するに伴い、外部空気４１を吸入し、モーターＡの本体１を冷却する。その外部空気４１は、ファン４とファンを保護する外蓋２５によって、溝型波紋１１の本体１表面から熱量を放出する。外部空気４１は、本体１表面に接触するだけで、本体１内まで進入しないため、汚れた外部空気の埃によって汚染される問題が生じるのを防ぐとともに、素早く熱量を放出する極めて優れた放熱効果を達成する。
【００１３】
図５は本考案のモーターの構成を示した断面図であり、図６は本考案のモーターの気流の方向を示した説明図である。本考案によるモーターＡが作動する時、そのファン４は、回転子２に伴って回転し、空気を吸入し、モーターＡの本体１を冷却する。外部空気は、ファン４の回転によって溝型波紋１１の本体１へと進入し、素早く熱量を排出して再び循環し、モーターＡから生じる熱量を減少させ、極めて優れた放熱効果を達成する。
【００１４】
本考案は、進歩性と実用性と産業上の利用価値を兼ね備えている。本考案の利点は以下の通りである。
１、本考案は、本体断面に、ねじを貫設するための複数の通孔を設けることにより、ねじで、本体と、前蓋及び後蓋を螺合する。これにより、故障した時、故障した部品だけを取り替えればよく、修理を行う際便利であり、しかも素早く修理を行うことができる。
２、本考案は、外周に溝型波紋が設けられており、放熱性に優れている。
３、本考案は、防水部としてＯ型リングと防水部材を設けており、防水性と防音性に優れている。
４、本考案は、幅広い適用範囲をもつ。
５、本考案は、本体の長さを変え、コイルと回転子を交換するだけで、モーターの出力パワーと回転速度を変えることができる。
６、本考案は、外部空気を、ファンの回転により溝型波紋の本体表面に進入させることで、素早く熱量を排出する極めて優れた放熱効果を有している。
【符号の説明】
【００１５】
１００  モーター              
１１０  ケース        
Ａ      モーター                  
１      本体    
１０    透孔                
１１    溝型波紋    
１２    ねじ                
１３    通孔    
１４    前蓋                
１４１  中心通孔    
１４２  溝部              
１５    後蓋    
１５１  中心通孔              
１５２  ねじ孔    
１６    コイル              
１７    溝体    
２      回転子                  
２０    軸受    
２１    軸部                
２２    ねじ孔    
２３    ねじ                
２４    ワッシャ    
２５    外蓋              
２６    ねじ    
２７    フライス面                
３      防水部    
３０、３１  Ｏ型リング          
３２    防水部材    
３２１  円錐状透孔          
３３    電線    
４      ファン                  
４０    透孔壁面    
４１    外部空気    
【図１】
0003162769.tif 000003
【図２】
0003162769.tif 000004
【図３】
0003162769.tif 000005
【図４】
0003162769.tif 000006
【図５】
0003162769.tif 000007
【図６】
0003162769.tif 000008